(57)【要約】【課題】  杆材同士または杆材と他の構造材とを、大きな負荷に対しても、強固に連結することができるとともに、杆材の連結長さの調整時においても、容易に正確な連結長さを定めることができ、作業性にも優れ、かつ製作時に複雑な加工を必要としない連結用基礎構造材を提供する。【解決手段】  断面横向きＨ形杆材における縦片部分７ｃ，７ｄに、上下片を貫通して上下方向の通孔８ａ〜８ｇを長手方向に複数個設けた連結用基礎構造材２とする。断面横向きＨ形杆材は、好ましくは相互に反対向きに開口するコ字形部材７ａ，７ｂの背面板７ｃ，７ｄ同士を固着して形成し、この固着した二重の背面板部分に、上下方向の通孔８ａ〜８ｇを長手方向に複数個設けたものとする。【選択図】        図２
2006136579.tif 000002
【特許請求の範囲】
【請求項１】
断面横向きＨ形杆材における縦片部分に、上下片を貫通して上下方向の通孔を長手方向に複数個設けたことを特徴とする連結用基礎構造材。
【請求項２】
断面横向きＨ形杆材を、相互に反対向きに開口するコ字形部材の背面板同士を固着して形成し、この固着した二重の背面板部分に、上下方向の通孔を長手方向に複数個設けたことを特徴とする請求項１記載の連結用基礎構造材。
【請求項３】
通孔を、連結用基礎構造材の長手方向の端部に等間隔で複数個設けたことを特徴とする請求項１または２記載の連結用基礎構造材。
【請求項４】
連結用基礎構造材の左端または右端の端面に、通孔を有する側板を固着したことを特徴とする請求項１〜３のいずれかに記載の連結用基礎構造材。
【発明の詳細な説明】
【技術分野】
【０００１】
本発明は、杆材同士または杆材と他の構造材とを連結する際に、杆材の連結長さを調整しうる連結用基礎構造材に関する。
【背景技術】
【０００２】
オフィス等の執務空間にて使用されるデスクやテーブル等においては、杆材で構成された天板支持脚の長さを調整可能とすることによって、天板の高さを変更可能としたり、２つの脚体同士を連結杆で連結し、その長さを調整することによって、デスクの長さを変更可能としたものが多く見受けられる。
【０００３】
前記天板支持脚の長さ、従って天板の高さを調整する方法としては、支持脚を、中空状の外杆と内杆によって形成し、外杆の内部に挿入された内杆と、外杆との連結位置を変更するようにしたものがある（特許文献１，２）。
しかし、特許文献１に示されるものでは、杆材を単にねじの圧接力によって連結しているため、大きな負荷がかかった場合に、連結強度の面で問題があり、かつ連結の際に、正確な連結長さを定めるのが容易ではない。また、特許文献２に示されるものは、複雑な加工を必要とし、加工工数、コスト等の面で問題がある。
【特許文献１】特開２０００−８３７４３号公報
【特許文献２】特開２００２−１７４５４号公報
【発明の開示】
【発明が解決しようとする課題】
【０００４】
本発明は、前記の問題点に鑑み、杆材同士または杆材と他の構造材とを、大きな負荷に対しても、位置安定性よく強固に連結することができるとともに、杆材の連結長さの調整時においても、容易に正確な連結長さを定めることができ、作業性にも優れ、かつ製作時に複雑な加工を必要としない連結用基礎構造材を提供することを目的とする。
【課題を解決するための手段】
【０００５】
上記課題は、特許請求の範囲における各請求項に示すように、下記の構成を備える発明によって解決される。
(１)  断面横向きＨ形杆材における縦片部分に、上下片を貫通して上下方向の通孔を長手方向に複数個設けた連結用基礎構造材とする。
【０００６】
(２)  上記(１)項において、断面横向きＨ形杆材を、相互に反対向きに開口するコ字形部材の背面板同士を固着して形成し、この固着した二重の背面板部分に、上下方向の通孔を長手方向に複数個設ける。
【０００７】
(３)  上記(１)項または(２)項において、通孔を、連結用基礎構造材の長手方向の端部に等間隔で複数個設ける。
【０００８】
(４)  上記(１)項〜(３)項のいずれかにおいて、連結用基礎構造材の左端または右端の端面に、通孔を有する側板を固着する。
【発明の効果】
【０００９】
本発明によると、次のような効果が奏せられる。
請求項１記載の発明によれば、本発明の連結用基礎構造材は、断面横向きＨ形杆材における縦片部分に、上下片を貫通する上下方向の通孔が設けられているという特殊な構造を有するため、この連結用基礎構造材を他の杆材の端部に内嵌させて、固定ねじを前記通孔を挿通させて螺締しても強度が大きく、位置安定性よく強固に連結することができる。
また、連結用基礎構造材の長手方向に複数個の通孔が設けられているため、これらのうちから所望の通孔を選んで固定ねじを挿通させることにより、容易に正確な連結長さを定めることができ、作業性にも優れる。
さらに、本発明の連結用基礎構造材には、ねじ孔が不要であって、ねじ孔の穿設という複雑な加工を必要としない。
【００１０】
請求項２記載の発明によれば、通孔を設ける部分が、固着された二重の背面板部分であるため一層強度が大きくなり、一層高度に位置安定性よく強固に連結することができる。
【００１１】
請求項３記載の発明によれば、通孔が、連結用基礎構造材の長手方向の端部に等間隔で複数個設けられているため、連結長さの調整時に、通孔の間隔の所望倍数を選ぶことにより、連結長さを容易に定めることができる。
【００１２】
請求項４記載の発明によれば、杆材と、その他の構造材を連結する際に、本発明の連結用基礎構造材を、側板の通孔を介して前記構造材にねじ止めした後に、杆材と連結用基礎構造材とを連結することにより、連結用基礎構造材をジョイント材として、杆材と、その他の構造材を容易に連結することができる。
【発明を実施するための最良の形態】
【００１３】
以下、本発明の実施形態を図面に基づいて説明する。
【００１４】
図１は、本発明の連結用基礎構造材の使用形態を示す斜視図、図２は、図１に示す使用形態の分解斜視図、図３は、図１におけるIII〜III線縦断面拡大図、図４は、図３におけるIV〜IV線縦断面図である。
【００１５】
本発明の連結用基礎構造材は、２つの杆材を連結する場合の一方の杆材として用いることができる。図１〜図４に示すように、第１杆材(１)と第２杆材(２)を連結する場合に、本発明の連結用基礎構造材を第２杆材(２)として用いることにより、第１杆材(１)と第２杆材(２)とを、強固かつ安定的に連結することができるとともに、両杆材の連結長さを容易に調整することができる。
【００１６】
図２に示すように、第１杆材(１)は、断面がほぼ四辺形をなし、その下面(３)には断面が台形状の嵌合溝(４)が長手方向に設けられている。
【００１７】
第１杆材(１)の右端部には、上面(５)から下面(３)に貫通する通孔(6a)(6b)(6d)(6e)が長手方向に４個設けられ、かつ下面(３)には、前記４個の通孔のうちの２番目と３番目の通孔(6b)(6d)の間に相当する位置に、１個の角状の通孔(6c)が設けられ、これら５個の通孔は、長手方向に等間隔で並んでいる。
【００１８】
第２杆材(２)は、左右方向を向く前向きコ字形部材(7a)と後向きコ字形部材(7b)の背面板(7c)(7d)同士を固着し、この固着した二重の背面板部分に、上下方向の通孔(8a)〜(8g)が、左右方向に並べて７個設けて形成されている。７個の通孔(8a)〜(8g)は、第２杆材(２)の上面(９)および下面(10)において角形をなし、左右方向に等間隔で並んでいる。
【００１９】
第１杆材(１)における下面(３)の嵌合溝(４)には、連結支持具(11)が嵌合される。
【００２０】
連結支持具(11)は、断面台形状の左右方向に長い平板(12)の上面中央に角柱状の係合突起(13)と、この係合突起(13)の左右にねじ孔(14)(14)が設けられて形成されている。
【００２１】
第１杆材(１)と第２杆材(２)における複数の通孔(6a)〜(6e)、(8a)〜(8g)の隣接するもの同士の間隔、および連結支持具(11)における係合突起(13)とねじ孔(14)間の間隔は、すべて同一の所定の間隔となっている。
【００２２】
第１杆材(１)と第２杆材(２)との連結は、次の手順によりなされる。
まず、図２〜図４に示すように、第１杆材(１)を第２杆材(２)に外嵌し、第１杆材(１)の下面(３)における右端部から３番目の通孔(6c)と、第２杆材(２)における左端部から２番目の通孔(8b)とを位置合わせし、これらの通孔(6c)(8b)に、下方から連結支持具(11)の係合突起(13)を連通して係合させるとともに、連結支持具(11)を第１杆材(１)における下面(３)の嵌合溝(４)に嵌合させる。
【００２３】
次いで、固定ねじ(15)(15)を、上方から第１杆材(１)の右端部から２番目、４番目の通孔(6d)(6b)と、第２杆材(２)の左端部から１番目と３番目の通孔(8a)，(8c)とに連通させて、連結支持具(11)のねじ孔(14)(14)に螺合させることにより、第１杆材(１)と第２杆材(２)とを連結する。
【００２４】
図５は、両杆材(１)(２)の連結の別形態を示す図３に対応する図である。
【００２５】
図５に示す形態は、図３に示す場合よりも、第１杆材(１)の第２杆材(２)への外嵌の程度を大きくして、連結後の両杆材の全体の長さを短くしたものである。すなわち、図５に示すように、第１杆材(１)の下面(３)における右端部から３番目の通孔(6c)と、第２杆材(２)における左端部から４番目の通孔(8d)とを位置合わせし、これらの通孔(6c)(8d)に、下方から連結支持具(11)の係合突起(13)を連通して係合させるとともに、固定ねじ(15)(15)を、上方から第１杆材(１)の右端部から２番目、４番目の通孔(6d)(6b)と、第２杆材(２)の左端部から３番目と５番目の通孔(8c)(8e)に連通させて、連結支持具(11)のねじ孔(14)(14)に螺合させることにより、第１杆材(１)と第２杆材(２)とは連結されている。そのため、連結後の両杆材の全体の長さは、図３に示す場合よりも、両杆材における通孔間の間隔ｄの２倍の長さ２ｄだけ短くなっている。
【００２６】
図６は、本発明の連結用基礎構造材の第２実施形態を示す拡大斜視図である。
【００２７】
この連結用基礎構造材(16)は、図２に示す第１実施形態の連結用基礎構造材、すなわち第２杆材(２)の左端面に、４個の通孔(17)を有する側板(18)を固着して形成されている。
【００２８】
図７は、第２実施形態の連結用基礎構造材(16)をジョイント材として用いて、第１杆材とデスクの左右の天板支持脚とを連結した場合の分解斜視図である。
【００２９】
図８は、図７に示す連結の組立時における中央縦断面図である。
【００３０】
デスク(19)の天板支持脚(20)の上端後部には、左右方向の４個のねじ孔(21)を有する受部(22)が設けられている。
【００３１】
まず、連結用基礎構造材(16)を、取付ねじ(23)を左方より側板(18)の通孔(17)を介して天板支持脚(20)における受部(22)のねじ孔(21)に螺合させることにより連結用基礎構造材(16)を天板支持脚(20)に取付ける。
【００３２】
次いで、第１杆材(24)の右端部を連結用基礎構造材(16)に外嵌させ、連結支持具(25)の係合突起(26)を下方から第１杆材(24)の通孔(27c)と、連結用基礎構造材(16)の通孔(28e)を連通させて係合させるとともに、固定ねじ(29)(29)を上方から第１杆材(24)の通孔(27b)(27d)と、連結用基礎構造材(16)の通孔(28d)(28f)とに連通させて、連結支持具(25)のねじ孔(30)(30)に螺合させることにより、連結用基礎構造材(２)に第１杆材(24)を取付ける。
【００３３】
次いで、取付ねじ(31)(31)を、下方から、連結支持具(25)の通孔(32)(32)、第１杆材(24)の通孔(27a)(27e)、連結用基礎構造材(16)の通孔(28c)(28g)をそれぞれ介して、天板(33)の裏面のねじ孔(34)に螺合して、天板(33)を取付けることにより、本発明の連結用基礎構造材(16)をジョイント材として用いて、第１杆材(24)とデスクにおける左右の天板支持脚(20)とを連結することができる。
【図面の簡単な説明】
【００３４】
【図１】本発明の連結用基礎構造材の使用形態を示す斜視図である。
【図２】図１に示す使用形態の分解斜視図である。
【図３】図１におけるIII〜III線縦断面拡大図である。
【図４】図３におけるIV〜IV線縦断面図である。
【図５】両杆材の連結の別形態を示す図３に対応する図である。
【図６】本発明の第２実施形態の連結用基礎構造材を示す拡大斜視図である。
【図７】第２実施形態の連結用基礎構造材をジョイント材として用い、第１杆材とデスクの左右の天板支持脚とを連結した場合の分解斜視図である。
【図８】図７に示す連結の組立時における中央縦断面図である。
【符号の説明】
【００３５】
(１)第１杆材
(２)第２杆材
(３)下面
(４)嵌合溝
(５)上面
(6a)(6b)(6c)(6d)(6e)通孔
(7a)(7b)コ字形部材
(7c)(7d)背面板
(8a)〜(8g)通孔
(９)上面
(10)下面
(11)連結支持具
(12)平板
(13)係合突起
(14)ねじ孔
(15)固定ねじ
(16)連結用基礎構造材
(17)通孔
(18)側板
(19)デスク
(20)天板支持脚
(21)ねじ孔
(22)第２杆材受部
(23)取付ねじ
(24)第１杆材
(25)連結支持具
(26)係合突起
(27a)〜(27e)通孔
(28a)〜(28d)通孔
(29)固定ねじ
(30)ねじ孔
(31)取付ねじ
(32)通孔
(33)天板
(34)ねじ孔
【図１】
2006136579.tif 000003
【図２】
2006136579.tif 000004
【図３】
2006136579.tif 000005
【図４】
2006136579.tif 000006
【図５】
2006136579.tif 000007
【図６】
2006136579.tif 000008
【図７】
2006136579.tif 000009
【図８】
2006136579.tif 000010
【手続補正書】
【提出日】平成16年11月15日(2004.11.15)
【手続補正１】
【補正対象書類名】図面
【補正対象項目名】図３
【補正方法】変更
【補正の内容】
【図３】
2006136579.tif 000011
【手続補正２】
【補正対象書類名】図面
【補正対象項目名】図４
【補正方法】変更
【補正の内容】
【図４】
2006136579.tif 000012